(57)【要約】【課題】公衆の専用線サービス網における専用線サービスでの複数のインタフェースパッケージに対するＣＨ単位での自動切替制御と同等の機能は、時分割多重伝送では実現できていなかった。【解決手段】複数のインタフェースパッケージを備え、インタフェースパッケージから入力された入力データを分割した分割データに切替情報を関連付ける関連付け手段を備えると共に、複数のインタフェースパッケージからの入力データの何れを出力用として選択するかを、その入力データの分割データに関連付けられた切替情報に基づいて判定する切替手段を備える。この切替手段は、上記インタフェースパッケージとは別に設けられる。【選択図】図１
2010011024.tif 000002
【特許請求の範囲】
【請求項１】
複数のインタフェースパッケージを備えた伝送装置であって、
前記インタフェースパッケージから入力された入力データを分割した分割データに切替情報を関連付ける関連付け手段を備えると共に、
前記複数のインタフェースパッケージからの入力データの何れを出力用として選択するかを、該入力データの分割データに関連付けられた切替情報に基づいて判定する切替手段を、前記インタフェースパッケージとは別に備えたことを特徴とする伝送装置。
【請求項２】
前記関連付け手段は、前記入力データが複数のチャンネルからなる場合、前記入力データに含まれる１つの切替情報を、各チャンネルの入力データを分割した分割データそれぞれに関連付けることを特徴とする請求項１記載の伝送装置。
【請求項３】
前記切替手段は、現用系と予備系とが設けられ、
前記切替手段への入力は前記現用系と前記予備系とに分岐して入力され、前記切替手段からの出力は前記現用系から出力することを特徴とする請求項１または２記載の伝送装置。
【請求項４】
前記切替手段は、
２つのインタフェースパッケージからの入力データの何れを出力用として選択するかを、該入力データの分割データに関連付けられた切替情報に基づいて判定し、
前記インタフェースパッケージが２×Ｎ（Ｎは整数）個設けられている場合、２個ずつのインタフェースパッケージからの入力データについて前記判定を行うことを特徴とする請求項１から３の何れか１項に記載の伝送装置。
【請求項５】
前記切替情報は、前記入力データに含まれるａｉビットであることを特徴とする請求項１から４の何れか１項に記載の伝送装置。
【請求項６】
前記分割データは、時分割多重伝送のためのタイムスロット単位に前記入力データを分割したデータであることを特徴とする請求項１から５の何れか１項に記載の伝送装置。
【請求項７】
複数のインタフェースパッケージを備えた伝送装置の制御方法であって、
前記インタフェースパッケージから入力された入力データを分割した分割データに切替情報を関連付ける関連付け工程を行うと共に、
前記複数のインタフェースパッケージからの入力データの何れを出力用として選択するかを、該入力データの分割データに関連付けられた切替情報に基づいて判定する切替工程を、前記インタフェースパッケージとは別に設けられた切替手段により行うことを特徴とする制御方法。
【請求項８】
前記関連付け工程では、前記入力データが複数のチャンネルからなる場合、前記入力データに含まれる１つの切替情報を、各チャンネルの入力データを分割した分割データそれぞれに関連付けることを特徴とする請求項７記載の制御方法。
【請求項９】
前記切替手段は、現用系と予備系とが設けられ、
前記切替手段への入力は前記現用系と前記予備系とに分岐して入力され、前記切替手段からの出力は前記現用系から出力することを特徴とする請求項７または８記載の制御方法。
【請求項１０】
前記切替工程では、
２つのインタフェースパッケージからの入力データの何れを出力用として選択するかを、該入力データの分割データに関連付けられた切替情報に基づいて判定し、
前記インタフェースパッケージが２×Ｎ（Ｎは整数）個設けられている場合、２個ずつのインタフェースパッケージからの入力データについて前記判定を行うことを特徴とする請求項７から９の何れか１項に記載の制御方法。
【請求項１１】
前記切替情報は、前記入力データに含まれるａｉビットであることを特徴とする請求項７から１０の何れか１項に記載の制御方法。
【請求項１２】
前記分割データは、時分割多重伝送のためのタイムスロット単位に前記入力データを分割したデータであることを特徴とする請求項７から１１の何れか１項に記載の制御方法。
【発明の詳細な説明】
【技術分野】
【０００１】
本発明は、複数のインタフェースパッケージを備え、冗長性（Redundancy）を有するようにした伝送装置および制御方法に関する。
【背景技術】
【０００２】
一般的な時分割多重伝送装置（Time Division Multiplexing、以下ＴＤＭ）における専用線サービスの収容方式について、図２０を参照して説明する。
【０００３】
図２０に示すように、「専用線ＬＩ点インタフェース盤」（インタフェースパッケージ）は、６４ｋｂｐｓ／１２８ｋｂｐｓのサービス速度の専用線サービスのＬＩ点（伝送路インタフェース点）のインタフェースを終端する。そして、ＮＴ（Network Termination）から入力された６４ｋｂｐｓデータ×２チャンネル（Channel、以下ＣＨ）の入力データを分割した分割データを「時間スイッチ（Time Switch、以下ＴＳＷ）部」へ出力する。またその逆に、６４ｋｂｐｓデータ×２ＣＨの分割データを「ＴＳＷ部」から入力され、ＮＴへ送信する。
ＴＥ（Terminal Equipment）は、ＮＴに接続されてデータの送受信を行う端末装置である。
【０００４】
また、図２０に示すように、「伝送路インタフェース盤」は、「ＴＳＷ部」から入力された複数ＣＨの６４ｋｂｐｓデータを１．５４４Ｍｂｐｓ等の高速の伝送路インタフェースに時分割多重して、ＴＤＭ間の伝送路に送出する。またその逆に高速の伝送路インタフェースから分離した複数ＣＨの６４ｋｂｐｓデータを「ＴＳＷ部」へ出力する。
【０００５】
また、図２０に示すように、「ＴＳＷ部」は６４ｋｂｐｓのＣＨ単位にデータを時間スイッチし、「専用線ＬＩ点インタフェース盤」と「伝送路インタフェース盤」とを接続してデータの送受信を可能にする。なお、「ＴＳＷ部」の時間スイッチは、設定により任意のスイッチが可能である。
【０００６】
また、本発明の関連技術の時分割多重化装置として、６４ｋｂｐｓ単位でスイッチングを行うための６４ｋ単位ＴＳＷメモリのみからなり６４ｋ単位ＴＳＷとして機能するＴＳＷを備えると共に、制御部を有し、制御信号によりＴＳＷにおける６４ｋｂｐｓ単位の割り付け設定を行うようにしたものがある（例えば、特許文献１参照）。
【特許文献１】特開２００１−２５１２６５号公報
【発明の開示】
【発明が解決しようとする課題】
【０００７】
しかしながら、上述した図２０に示すような一般的なＴＤＭにおいては、次のような課題がある。
まず、公衆の専用線サービス網における専用線サービスで行われているような、複数のインタフェースパッケージに対するＣＨ単位での自動切替制御が実現できていなかったということである。
【０００８】
また、ＬＩ点インタフェースに対するＣＨ単位での自動切替制御をＴＤＭで構成しようとする場合に、図２１のように「専用線ＬＩ点インタフェース盤」内で切替を行う構成とすると、冗長性が確保できなくなってしまう。
【０００９】
また、上述した特許文献１のものは、制御信号によりＴＳＷにおける６４ｋｂｐｓ単位の割り付け設定を行い、ＴＳＷを簡略化して装置の小型化を図るようにしたものであり、複数のインタフェースパッケージに対するＣＨ単位での自動切替についてまで考慮されたものではなかった。
【００１０】
本発明はこのような状況に鑑みてなされたものであり、公衆の専用線サービス網における専用線サービスでの複数のインタフェースパッケージに対するＣＨ単位での自動切替制御と同等の機能を時分割多重伝送において実現できる伝送装置および制御方法を提供することを目的とする。
【課題を解決するための手段】
【００１１】
かかる目的を達成するために、本発明に係る伝送装置は、複数のインタフェースパッケージを備えた伝送装置であって、上記インタフェースパッケージから入力された入力データを分割した分割データに切替情報を関連付ける関連付け手段を備えると共に、上記複数のインタフェースパッケージからの入力データの何れを出力用として選択するかを、該入力データの分割データに関連付けられた切替情報に基づいて判定する切替手段を、上記インタフェースパッケージとは別に備えたことを特徴とする。
【００１２】
また、本発明に係る制御方法は、複数のインタフェースパッケージを備えた伝送装置の制御方法であって、上記インタフェースパッケージから入力された入力データを分割した分割データに切替情報を関連付ける関連付け工程を行うと共に、上記複数のインタフェースパッケージからの入力データの何れを出力用として選択するかを、該入力データの分割データに関連付けられた切替情報に基づいて判定する切替工程を、上記インタフェースパッケージとは別に設けられた切替手段により行うことを特徴とする。
【発明の効果】
【００１３】
以上のように、本発明によれば、公衆の専用線サービス網における専用線サービスでの複数のインタフェースパッケージに対するＣＨ単位での自動切替制御と同等の機能を時分割多重伝送において実現することができる。
【発明を実施するための最良の形態】
【００１４】
次に、本発明に係る伝送装置および制御方法を時分割多重伝送装置（ＴＤＭ）に適用した一実施形態について、図面を用いて詳細に説明する。
【００１５】
本実施形態は、６４ｋｂｐｓ／１２８ｋｂｐｓのサービス速度の専用線サービスにおけるａｉ（Active Indication）ビット（Ｔ点インタフェース起動表示ビット）による端末区間の自動切替制御と同等の機能を、ＴＤＭで実現したことを特徴としている。
【００１６】
まず、本実施形態の概略について説明する。
本実施形態は、図１に示すように、インタフェースパッケージから入力された入力データを分割した分割データに、関連付け手段が切替情報（ａｉビット）を関連付ける。そして、複数のインタフェースパッケージからの入力データの何れを出力用として選択するかを、その入力データの分割データに関連付けられた切替情報に基づいて、インタフェースパッケージとは別に設けられた切替手段が判定する。
【００１７】
このため、インタフェースパッケージの冗長性を確保しながらも、ＣＨ単位の分割データについて切替手段で自動切替を行うことができる。このため、専用線サービスでの複数のインタフェースパッケージに対するＣＨ単位での自動切替制御と同等の機能を時分割多重伝送において実現できる。
【００１８】
本実施形態としての「時分割多重伝送装置（ＴＤＭ）」の構成概略を図２に示す。
図２に示すように、「専用線ＬＩ点インタフェース盤」（インタフェースパッケージ）は、６４ｋｂｐｓ／１２８ｋｂｐｓのサービス速度の専用線サービスのＬＩ点のインタフェースを終端し、ＮＴから受信した６４ｋｂｐｓの入力データ×２チャンネルに対して、入力データに含まれるａｉビットを切替ビット（切替情報）とし、入力データを分割した分割データにその切替ビットを関連付けて一体化し（くくりつけて）「ＴＳＷ部」へ出力し、「６４ｋ単位切替盤」（切替手段）の０系または１系へ入力させる。またその逆に「ＴＳＷ部」から「６４ｋ単位切替盤」の０系または１系から出力された６４ｋｂｐｓデータ×２チャンネル（以下ＣＨ）を「ＴＳＷ部」から入力しＮＴへ送信する。
【００１９】
また図２に示すように、「６４ｋ単位切替盤」は「ＴＳＷ部」から出力された６４ｋｂｐｓデータとそれにくくりつけられた切替ビットを複数ＣＨ入力し、切替ビットの状態を元にＣＨ単位に０系と１系を切り替えてＣＯＭ（COMmon）側から「ＴＳＷ部」へ出力する。またその逆にＣＯＭ側で「ＴＳＷ部」から入力する６４ｋｂｐｓデータを０系と１系に分岐して「ＴＳＷ部」へ出力する。
【００２０】
また図２に示すように、「伝送路インタフェース盤」は「６４ｋ単位切替盤」のＣＯＭ側から出力された０系／１系切替後の６４ｋｂｐｓデータ複数ＣＨを「ＴＳＷ部」から入力し、１．５４４Ｍｂｐｓ等の高速の伝送路インタフェースに多重してＴＤＭ間を伝送する。またその逆に高速の伝送路インタフェースから分離した複数ＣＨの６４ｋｂｐｓデータを「ＴＳＷ部」へ出力し「６４ｋ単位切替盤」のＣＯＭ側へ入力する。
【００２１】
また図２に示すように、「ＴＳＷ部」は、６４ｋｂｐｓのＣＨ単位に分割データおよびその分割データにくくりつけられた切替ビットを時間スイッチし、「専用線ＬＩ点インタフェース盤」と「６４ｋ単位切替盤」の０系または１系と接続してデータの送受信を可能にする。また「伝送路インタフェース盤」と「６４ｋ単位切替盤」のＣＯＭ側と接続してデータの送受信を可能にする。なお、「ＴＳＷ部」の時間スイッチは設定により任意のスイッチが可能である。
【００２２】
このようにして、本実施形態では、ＬＩ点でのＮＴからのａｉビットを切替ビットとして分割データとくくりつけて「ＴＳＷ部」へ出力し、「６４k単位切替盤」で切替を行っている。このため、専用線サービスと同等の端末区間の自動切替制御がＴＤＭで実現できる。
【００２３】
次に、本実施形態としての「時分割多重伝送装置（ＴＤＭ）」の構成について、図３を参照して詳細に説明する。
【００２４】
図３に示すように、「専用線ＬＩ点インタフェース盤」は、専用線サービスのＬＩ点を終端し、Ｂ１、Ｂ２チャンネルの６４ｋｂｐｓ入力データ２ＣＨを分離して８ｋＨｚ周期の時分割されたバス上に出力する。またＬＩ点にて受信したａｉビットを切替ビットとして、時分割された分割データにくくりつけて出力する。またその逆に８ｋＨｚ周期の時分割されたバス上から入力されたＢ１、Ｂ２チャンネルの６４ｋｂｐｓデータ２ＣＨをＬＩ点へ送信する。
８ｋＨｚ周期の時分割されたバスの例について図４に示す。バス上のどのタイムスロット（Time Slot、以下ＴＳ）を使用するかは設定により任意に割付可能である。
【００２５】
また、図３に示すように、「６４ｋ単位切替盤」は、ＴＤＭ内の「ＴＳＷ部」と接続され、０系による入力データと１系による入力データとの何れを出力用として用いるかを各ＣＨ毎に選択し、ＣＯＭ側へ出力する。選択は分割データにくくりつけられた切替ビットに基づいて判定する。判定条件の一例としては、初期状態を０系選択として以降は選択した系で切替ビットが立つともう片方に切り替え、両系とも切替ビットが立っている場合や両系とも切替ビットが立っていない場合は現在の選択系を保持するという条件などが挙げられる。
また、その逆にＣＯＭ側から入力されたデータは０系と１系に分岐して出力される。
【００２６】
なお、０系、１系、ＣＯＭ側の入出力データは「専用線ＬＩ点インタフェース盤」と同じく８ｋＨｚ周期の時分割されたバス上に割り付けられる。バス上のどのＴＳを使用するかは設定により任意に割付可能である。
【００２７】
図３に示すように、「伝送路インタフェース盤」は１．５４４Ｍｂｐｓ等の高速伝送路を終端し、伝送路上に多重された複数のＣＨを分離して「専用線ＬＩ点インタフェース盤」や「６４ｋ切替盤」と同じく８ｋＨｚ周期の時分割されたバス上に出力する。またその逆に８ｋＨｚ周期に時分割されたバスから入力された複数ＣＨのデータを伝送路上に多重して送信する。バス上のどのＴＳを使用するかは設定により任意に割付可能である。
【００２８】
図３に示すように、「ＴＳＷ部」は、８ｋＨｚ周期に時分割された上り側（ＬＩ点から高速伝送路への方向）のバスに割り付けられた分割データを下り側（高速伝送路からＬＩ点への方向）のバスへＴＳ単位にスイッチする。スイッチは設定により任意の組み合わせが可能である。図５にスイッチの一例を示す。
【００２９】
以上詳細に本実施形態の構成について述べたが、図３の「ＴＳＷ部」及び「伝送路インタフェース盤」は、当業者にとってよく知られており、また本発明とは直接関係しないので、その詳細な構成は省略する。
【００３０】
次に、本実施形態としての「時分割多重伝送装置（ＴＤＭ）」の動作について説明する。
まず、図３に示すＬＩ点から高速伝送路へ伝送される方向の動作について、図６、図７、図８、図９、図１０、図１１に示すタイムチャートを参照して説明する。
【００３１】
図６、図７に示すように、「専用線ＬＩ点インタフェース盤」は、ＮＴから受信したＬＩ点インタフェース上のワード＃１から＃２０に格納されたＢ１、Ｂ２チャンネルの６４ｋｂｐｓ分割データ２ＣＨを分離し、更にＣＬチャネル（回線システム制御チャネル）に格納されたａｉビットを分離して２ＣＨの分割データそれぞれにくくりつけ、８ｋＨｚ周期時分割バス上の割り付けられたＴＳに出力する。
図６、図７の例では、０系側がＴＳ１、ＴＳ２に、１系側がＴＳ３、ＴＳ４に、それぞれ割り付けられた場合を示す。
【００３２】
図８に示すように、「ＴＳＷ部」では、設定されたスイッチ設定に従って上り側バスから下り側バスへ分割データおよび切替ビットをスイッチする。図８の例では、ＴＳ１、ＴＳ２、ＴＳ３、ＴＳ４がＴＳ５、ＴＳ６、ＴＳ７、ＴＳ８にスイッチされた場合を示す。
【００３３】
図９に示すように、「ＴＳＷ部」から出力された０系側のＢ１、Ｂ２チャンネルと、１系側のＢ１、Ｂ２チャンネルとは「６４ｋ単位切替盤」に入力され、分割データにくくりつけられた切替ビットの判定によりＣＨ単位に０系と１系のどちらかが選択される。選択されたＢ１、Ｂ２チャネルは、８ｋＨｚ周期時分割バス上の割り付けられたＴＳに出力される。図９の例では、ＴＳ９、ＴＳ１０に割り付けられた場合を示す。
【００３４】
図１０に示すように、「ＴＳＷ部」では、設定されたスイッチ設定に従って上り側バスから下り側バスへデータをスイッチする。図１０の例では、ＴＳ９、ＴＳ１０がＴＳ１１、ＴＳ１２にスイッチされた場合を示す。
【００３５】
図１１に示すように、「ＴＳＷ部」から出力された選択後のＢ１、Ｂ２チャンネルは「伝送路インタフェース盤」に入力され、高速伝送路上のＣＨに多重される。図１１の例では、ＣＨ１、ＣＨ２に多重された場合を示す。
【００３６】
次に、図３の高速伝送路からＬＩ点へ伝送される方向の動作について、図１２、図１３、図１４、図１５、図１６、図１７に示すタイムチャートを参照して説明する。
【００３７】
図１２に示すように、「伝送路インタフェース盤」は高速伝送路上の所定のＣＨに多重されたＢ１、Ｂ２チャンネルの６４ｋｂｐｓ分割データ２ＣＨを分離し、８ｋＨｚ周期時分割バス上の割り付けられたＴＳに出力される。図１２の例では、高速伝送路でＣＨ１、ＣＨ２に多重され、８ｋＨｚ周期時分割バスでＴＳ１１、ＴＳ１２に割り付けられた場合の例を示す。
【００３８】
図１３に示すように、「ＴＳＷ部」では設定されたスイッチ設定に従って上り側バスから下り側バスへデータをスイッチする。図１３の例では、ＴＳ１１、ＴＳ１２がＴＳ９、ＴＳ１０にスイッチされた場合を示す。
【００３９】
図１４に示すように、「ＴＳＷ部」から出力されたＢ１、Ｂ２チャンネルは「６４ｋ単位切替盤」のＣＯＭ側に入力され０系と１系の両系に分岐される。分岐された０系と１系のＢ１、Ｂ２チャネルは８ｋＨｚ周期時分割バス上の割り付けられたＴＳに出力される。図１４の例では、０系がＴＳ５、ＴＳ６、１系がＴＳ７、ＴＳ８に割り付けられた場合を示す。
【００４０】
図１５に示すように、「ＴＳＷ部」では、設定されたスイッチ設定に従って上り側バスから下り側バスへデータをスイッチする。図１５の例では、ＴＳ５、ＴＳ６、ＴＳ７、ＴＳ８がＴＳ１、ＴＳ２、ＴＳ３、ＴＳ４にスイッチされた場合を示す。
【００４１】
図１６、図１７に示すように、「ＴＳＷ部」から出力された各系のＢ１、Ｂ２チャンネルは「専用線ＬＩ点インタフェース盤」に入力され（図１６、図１７の例では、０系側がＴＳ１、ＴＳ２に、１系側がＴＳ３、ＴＳ４に割り付けられた場合を示す）、ＬＩ点インタフェース上のワード＃１から＃２０に格納されてＮＴへ送信される。
【００４２】
以上説明したように、本実施形態によれば、以下に記載するような効果を奏する。
第１の効果は、ＴＳ単位に分割された分割データにａｉビットをくくりつけ、ＴＳＷ部を介して切替部に送ることで、専用線サービスと同等のａｉビットによる端末区間の自動切替、すなわちＣＨ単位での０系と１系との自動切替をＴＤＭで実現できたことである。
【００４３】
第２の効果は専用線ＬＩ点インタフェース部と切替部を分離しているので、専用線ＬＩ点インタフェース部の物理的冗長性（Redundancy）が確保できることである。
【００４４】
以上のように、本実施形態では、ＬＩ点でのＮＴからのａｉビットを切替ビットとして分割データとくくりつけ、「ＴＳＷ部」へ出力し、「専用線ＬＩ点インタフェース盤」とは別の「６４ｋ単位切替盤」で切替を行い、両者を「ＴＳＷ部」で任意に接続している。
このことにより、ＴＤＭでのａｉビットによる端末区間の自動切替を実現した。また同時に専用線ＬＩ点インタフェース部の冗長性も確保できた。
【００４５】
〔他の実施形態１〕
本発明の他の実施形態として、その基本的構成は上述の通りであるが、冗長性確保についてさらに工夫している。その構成を図１８に示す。本図１８に示す「ＴＳＷ部」、「６４ｋ単位切替盤」、及び「伝送路インタフェース盤」は、「専用線ＬＩ点インタフェース盤」と同じく物理的な冗長性を持つ。すなわち、一方の系が故障である時はもう一方の系に切り替えることで通信を確保することができるようになっている。
【００４６】
図１８に示す構成例の動作は、図３を参照して説明した上述の実施形態と基本的に同じであるが、「ＴＳＷ部」、「６４ｋ単位切替盤」及び「伝送路インタフェース盤」は現用系と予備系を持ち、入力は現用系と予備系に分岐して入力される。出力は予備系を止めて現用系だけを出力する。現用系に故障が発生すると現用系の出力を止めて予備系を出力するようにする。
【００４７】
このように、図１８に示す他の実施形態によれば、上述した実施形態と同様の効果が得られると共に、物理的な冗長性が増しているので、装置の信頼性の向上という効果が得られる。
なお、本構成における「６４ｋ単位切替盤」と「伝送路インタフェース盤」とは、一体化した「６４ｋ単位切替伝送路インタフェース盤」として構成してもよい。
【００４８】
〔他の実施形態２〕
【００４９】
また、本発明のさらに他の実施形態として、その基本的構成は上述の通りであるが、切替の組数についてさらに工夫している。その構成を図１９に示す。本図１９に示す構成例では、「６４ｋ単位切替盤」の切替ＣＨ数を２×Ｎ（Ｎは整数）個に拡張することで、専用線サービスと同等のａｉビットによる端末区間の自動切替をＮ（Ｎは整数）組実現することができるようになっている。
【００５０】
図１９の動作は、図３を参照して説明した上述の実施形態と基本的に同じであるが、「６４ｋ単位切替盤」の０系／１系／ＣＯＭ側をＮ（Ｎは整数）組備えることにより、Ｎ倍のＣＨ数を持つ。
【００５１】
すなわち、「専用線ＬＩ点インタフェース盤」が２×Ｎ（Ｎは整数）個設けられているのに対し、「６４ｋ単位切替盤」における０系／１系／ＣＯＭ側のセットがＮ（Ｎは整数）組設けられている。そして、「専用線ＬＩ点インタフェース盤」の２つずつＮ組みからの入力データについて、入力データの何れを出力用として選択するかを上述した切替ビットに基づいて判定する。
【００５２】
このように、図１９に示す他の実施形態によれば、上述した実施形態と同様の効果が得られると共に、「６４ｋ単位切替盤」の１枚当りのＣＨ数が増しているので、実装効率の向上という効果が得られる。
なお、本構成における「６４ｋ単位切替盤」と「伝送路インタフェース盤」とは、一体化した「６４ｋ単位切替伝送路インタフェース盤」として構成してもよい。
【００５３】
なお、上述した各実施形態は本発明の好適な実施形態であり、本発明はこれに限定されることなく、本発明の技術的思想に基づいて種々変形して実施することが可能である。
例えば、上述した実施形態では、「６４ｋ単位切替盤」と「伝送路インタフェース盤」とが分離されている構成として説明したが、一体化して「６４ｋ単位切替伝送路インタフェース盤」として構成してもよい。
【産業上の利用可能性】
【００５４】
以上のように、本発明は、６４ｋｂｐｓ／１２８ｋｂｐｓのサービス速度の１対１のデータ通信において、一般的な公衆の専用線サービス網を利用していたものをＴＤＭにより置き換える場合に特に好適に適用できる。
なおかつ、専用線サービス網のａｉビットによる端末区間の自動切替と同等の機能が求められる場合、さらに好適に適用できる。
【図面の簡単な説明】
【００５５】
【図１】本発明の実施形態の概略を示す図である。
【図２】本発明の実施形態としての「時分割多重伝送装置（ＴＤＭ）」の構成概略を示すブロック図である。
【図３】本実施形態としての「時分割多重伝送装置（ＴＤＭ）」の構成例を詳細に示すブロック図である。
【図４】８ｋＨｚ周期の時分割されたバスの例を示す図である。
【図５】スイッチによる接続の組み合わせ例を示す図である。
【図６】分割データ２ＣＨにａｉビットをくくりつけてＴＳに割り当てる例を示す図である。
【図７】分割データ２ＣＨにａｉビットをくくりつけてＴＳに割り当てる例を示す図である。
【図８】「ＴＳＷ部」による接続の組み合わせ例を示す図である。
【図９】０系、１系の分割データが判定、選択され、ＴＳに割り当てられる動作例を示す図である。
【図１０】「ＴＳＷ部」による接続の組み合わせ例を示す図である。
【図１１】選択後の分割データが高速伝送路上のＣＨに多重される動作例を示す図である。
【図１２】分割データ２ＣＨを分離してＴＳに割り当てる例を示す図である。
【図１３】「ＴＳＷ部」による接続の組み合わせ例を示す図である。
【図１４】０系、１系へ分割データが分岐され、ＴＳに割り当てられる動作例を示す図である。
【図１５】「ＴＳＷ部」による接続の組み合わせ例を示す図である。
【図１６】分割データ２ＣＨをＮＴ送信用のワード部に格納する動作例を示す図である。
【図１７】分割データ２ＣＨをＮＴ送信用のワード部に格納する動作例を示す図である。
【図１８】本発明の他の実施形態としての「時分割多重伝送装置（ＴＤＭ）」の構成例を示すブロック図である。
【図１９】本発明の他の実施形態としての「時分割多重伝送装置（ＴＤＭ）」の構成例を示すブロック図である。
【図２０】一般的なＴＤＭによる伝送システムの構成例を示すブロック図である。
【図２１】関連技術として「専用線ＬＩ点インタフェース盤」内で切替を行う構成例を示すブロック図である。
【図１】
2010011024.tif 000003
【図２】
2010011024.tif 000004
【図３】
2010011024.tif 000005
【図４】
2010011024.tif 000006
【図５】
2010011024.tif 000007
【図６】
2010011024.tif 000008
【図７】
2010011024.tif 000009
【図８】
2010011024.tif 000010
【図９】
2010011024.tif 000011
【図１０】
2010011024.tif 000012
【図１１】
2010011024.tif 000013
【図１２】
2010011024.tif 000014
【図１３】
2010011024.tif 000015
【図１４】
2010011024.tif 000016
【図１５】
2010011024.tif 000017
【図１６】
2010011024.tif 000018
【図１７】
2010011024.tif 000019
【図１８】
2010011024.tif 000020
【図１９】
2010011024.tif 000021
【図２０】
2010011024.tif 000022
【図２１】
2010011024.tif 000023